(57)【特許請求の範囲】
【請求項１】
光ディスクを回転させるスピンドルモータ、光ピックアップが取り付けられ、前記光ディスクにデータの記録及び／または再生を行う再生位置とこの再生位置から退避した退避位置との間で変位自在なピックアップベースと、
前記スピンドルモータに設けられ、前記光ディスクを保持するチャッキングコアと、
前記光ディスクの着脱時に筐体外部に露出される露出位置と前記筐体内部に格納される格納位置との間で移動自在なディスクトレイと、を備え、
前記ディスクトレイを前記格納位置に移動させた後に、前記ピックアップベースを前記再生位置に変位させる光ディスク装置において、
前記チャッキングコアに設けられ、前記ピックアップベースが前記退避位置と前記再生位置との間のベース中間位置と、前記再生位置との間で変位するときに、前記光ディスクのディスク孔に挿入されて当該光ディスクを保持するとともに、前記光ディスクの径方向の位置決めを行うディスク位置決め保持部と、
前記ディスクトレイのディスク装填面から突出して配され、前記ディスクトレイが前記露出位置と前記格納位置との間で移動するとき、及び前記ピックアップベースが前記退避位置と前記ベース中間位置との間で移動するときに前記ディスク孔に挿入されて前記光ディスクを保持するディスクホルダと、を備え、
前記ディスク位置決め保持部により前記光ディスクを保持しているときには、前記ディスクホルダによる前記光ディスクの保持が解除されることを特徴とする光ディスク装置。
【請求項２】
前記ディスクホルダは、前記光ディスクが載せられる搭載部と、前記ディスク孔に挿通される挿通部と、前記ディスク孔よりも径の大きい径で且つ弾性変形可能に形成され、前記ディスク孔を挿通されて前記光ディスクを保持する保持部と、前記ディスク位置決め保持部が挿通される挿通孔と、を備え、
前記ピックアップベースが前記ベース中間位置と前記再生位置との間で変位するときに、前記ディスク位置決め保持部は、前記挿通孔を挿通されて前記搭載部から突出して前記ディスク孔に挿入されることを特徴とする請求項１記載の光ディスク装置。
【請求項３】
前記ディスクホルダに設けられ、前記ピックアップベースが前記退避位置から前記ベース中間位置まで変位したときに、前記チャッキングコアに設けられた係合部に係合し、前記ピックアップベースが前記再生位置まで変位したときに、前記係合部との係合を解除する係合爪を備えたことを特徴とする請求項１または２記載の光ディスク装置。
【請求項４】
前記ピックアップベースを前記退避位置に変位させる第１位置と前記ピックアップベースを前記再生位置に変位させる第２位置との間でスライド自在なスライダと、
前記ディスクトレイに設けられ、前記ディスクトレイが前記露出位置に移動したときに前記スライダを前記第１位置にスライドさせ、前記ディスクトレイが前記露出位置から前記格納位置に向けて移動したときに前記スライダを前記第１位置と前記第２位置との間のスライダ中間位置にスライドさせるスライダガイド部と、を備えたことを特徴とする請求項１ないし３いずれか１つ記載の光ディスク装置。
【請求項５】
前記ディスクホルダを保持するホルダ保持位置とこの保持を解除するホルダ保持解除位置との間で変位自在なホルダクランパと、
前記ホルダクランパを、前記ホルダ保持位置に向けて付勢する付勢手段と、
前記スライダに設けられ、前記スライダが前記第１位置から前記ピックアップベースを前記ベース中間位置まで変位させる第３位置までスライドした後に、前記ホルダクランパに当接して、前記ホルダクランパを前記ホルダ保持解除位置に変位させるクランパ変位部と、を備え、
前記ホルダクランパによる保持が解除された前記ディスクホルダは、前記チャッキングコアと前記光ディスクとの間に位置して前記チャッキングコアによって保持されることを特徴とする請求項４記載の光ディスク装置。
【請求項６】
前記スライダを、前記スライダ中間位置と前記第２位置との間でスライドさせるスライド機構を備えたことを特徴とする請求項４または５記載の光ディスク装置。
【請求項７】
前記スライド機構で前記スライダを前記スライダ中間位置から前記第２位置に向けてスライドさせたときに、前記ディスクトレイを前記格納位置まで移動させるとともに、前記スライド機構で前記スライダを前記第２位置から前記スライダ中間位置に向けてスライドさせたときに、前記ディスクトレイを前記格納位置から前記露出位置に向けて移動させるトレイガイド部を備えたことを特徴とする請求項６記載の光ディスク装置。
【発明の詳細な説明】
【技術分野】
【０００１】
本発明は、ディスクに記録された情報の再生や記録を行う光ディスク装置に関するものである。
【背景技術】
【０００２】
ＣＤ−Ｒ、ＤＶＤなどの光ディスクはパーソナルコンピュータなどの記憶媒体として広く用いられている。パソコンには、光ディスク装置が内蔵され、これらの光ディスクを用いることが可能となっている。光ディスク装置は、ディスクトレイ上に装填された光ディスクを高速で回転させるスピンドルモータと、光ディスクの半径方向に移動しながら光ディスクにレーザ光を照射して情報を記録し、あるいは光ディスクから反射されたレーザ光を受光して情報の読み出しを行う光ピックアップとを備えている。ディスクトレイは、光ディスクの着脱時に筐体外部に露出される露出位置と筐体内部に格納される格納位置との間で移動可能に設けられている。
【０００３】
光ディスクには、直径８ｃｍの８ｃｍ光ディスクや直径１２ｃｍの１２ｃｍ光ディスク等、径の異なる複数の種類がある。このため、ディスクトレイに、８ｃｍ光ディスクを載置するための凹みを形成し、この凹み周縁に光ディスクの脱落を防止するための廂状の突起を設けたディスク装置が、特許文献１で提案されている。
【０００４】
また、特許文献２では、ディスクトレーに、ディスクを面外方向から保持する保持部材を設け、この保持部材を移動可能にしたディスク装置が提案されている。このディスク装置では、ディスクトレーの凹部に挿入されるディスクの径寸法に応じて、保持部材を移動させることで、径の異なる複数種類のディスクを装填可能にしている。
【０００５】
しかしながら、上記した特許文献１，２は、ディスクの外周部を保持する構造であるため、規定のディスク径及び形状のディスクにしか対応することができず、例えば、直径１０ｃｍの１０ｃｍ光ディスクや四角形状のディスク等に対応するためには、ディスクを保持する構造が複雑化及び大型化し、ディスク装置自体が大型化してしまうという問題があった。
【０００６】
そこで、本出願人は、ディスクトレイに、光ディスクのディスク孔に挿入されて光ディスクを保持するディスクホルダーと、ディスクアンローディング状態のときにディスクホルダーを保持し、ディスクローディング状態のときにディスクホルダーの保持を解除するホルダークランプ機構と、を設け、８ｃｍ光ディスク、１２ｃｍ光ディスクはもとより、他の径の光ディスク（例えば、１０ｃｍ光ディスク）や非円形状光ディスク（例えば、四角形状の光ディスク）も正確にディスクトレイの中心へ装填することができるディスク装置ならびにディスク調芯機構（特許文献３参照）を提案している。
【特許文献１】特開平８−１２４２６４号公報
【特許文献２】特開２００１−６７７６１号公報
【特許文献３】特開２００３−２２３７５５号公報
【発明の開示】
【発明が解決しようとする課題】
【０００７】
しかしながら、特許文献３では、ディスクホルダーで光ディスクを保持し、スピンドルモータに設けられたターンテーブルの調芯リングでディスクホルダーを保持しており、スピンドルモータの回転軸に対する光ディスクの調芯は、調芯リング及びディスクホルダーを介して行われるため、ターンテーブルのみで光ディスクを保持するものに比べて、部品寸法誤差の累積によって調芯精度が悪化するという問題があった。
【０００８】
また、特許文献３では、スピンドルモータに、調芯リングと調芯リングを付勢するバネとを設けたため、スピンドルモータの構造が複雑化し、コストアップになるという問題があった。
【０００９】
さらに、特許文献３では、ピックアップユニットを移動自在に支持するピックアップベースに傾斜爪片を設け、ディスクローディング時には、この傾斜爪片が、ホルダークランプ機構の保持体に形成された傾斜爪片に摺接することにより保持体を移動させて、ホルダークランプ機構によるディスクホルダの保持を解除するようにされており、ディスク再生時には、常にピックアップベースが保持体に当接した状態となるため、ピックアップベースの揺動が阻害され、さらには、ピックアップベースに取り付けられたダンパーによるピックアップベースの振動吸収性能が低下してしまうという問題があった。
【００１０】
本発明は、上記課題を解決するためになされたものであり、ピックアップベースの揺動性を悪化させることなく、径の異なる光ディスクや非円形状の光ディスクを正確にスピンドルモータに保持させることができるとともに、筐体を縦向き、横向きのどちら向きに置いたときにも、光ディスクを脱落させることなく、正確にスピンドルモータに保持及び位置決めさせることができる光ディスク装置を提供することを目的とする。
【課題を解決するための手段】
【００１１】
上記目的を達成するために、本発明の光ディスク装置は、光ディスクを回転させるスピンドルモータ、光ピックアップが取り付けられ、前記光ディスクにデータの記録及び／または再生を行う再生位置とこの再生位置から退避した退避位置との間で変位自在なピックアップベースと；前記スピンドルモータに設けられ、前記光ディスクを保持するチャッキングコアと；前記光ディスクの着脱時に筐体外部に露出される露出位置と前記筐体内部に格納される格納位置との間で移動自在なディスクトレイと；を備え、前記ディスクトレイを前記格納位置に移動させた後に、前記ピックアップベースを前記再生位置に変位させる光ディスク装置において、前記チャッキングコアに設けられ、前記ピックアップベースが前記退避位置と前記再生位置との間のベース中間位置と、前記再生位置との間で変位するときに、前記光ディスクのディスク孔に挿入されて当該光ディスクを保持するとともに、前記光ディスクの径方向の位置決めを行うディスク位置決め保持部と；前記ディスクトレイのディスク装填面から突出して配され、前記ディスクトレイが前記露出位置と前記格納位置との間で移動するとき、及び前記ピックアップベースが前記退避位置と前記ベース中間位置との間で移動するときに前記ディスク孔に挿入されて前記光ディスクを保持するディスクホルダと；を備え、前記ディスク位置決め保持部により前記光ディスクを保持しているときには、前記ディスクホルダによる前記光ディスクの保持が解除されることを特徴とする。
【００１２】
なお、前記ピックアップベースの変位としては、回転や移動等が挙げられる。また、前記光ディスクとしては、ＣＤ、ＤＶＤ、デュアルディスク、ＳＡＣＤ（ハイブリッド・ディスク）等が挙げられる。さらに、前記ディスク位置決め保持部としては、前記チャッキングコアに一体的に形成したもの、前記チャッキングコアとは別の部材として設けたもの等が挙げられる。
【００１３】
また、前記ディスクホルダは、前記光ディスクが載せられる搭載部と；前記ディスク孔に挿通される挿通部と；前記ディスク孔よりも径の大きい径で且つ弾性変形可能に形成され、前記ディスク孔を挿通されて前記光ディスクを保持する保持部と；前記ディスク位置決め保持部が挿通される挿通孔と；を備え、前記ピックアップベースが前記ベース中間位置と前記再生位置との間で変位するときに、前記ディスク位置決め保持部は、前記挿通孔を挿通されて前記搭載部から突出して前記ディスク孔に挿入されることが好ましい。
【００１４】
さらに、前記ディスクホルダに設けられ、前記ピックアップベースが前記退避位置から前記ベース中間位置まで変位したときに、前記チャッキングコアに設けられた係合部に係合し、前記ピックアップベースが前記再生位置まで変位したときに、前記係合部との係合を解除する係合爪を備えることが好ましい。
【００１５】
また、前記ピックアップベースを前記退避位置に変位させる第１位置と前記ピックアップベースを前記再生位置に変位させる第２位置との間でスライド自在なスライダと；前記ディスクトレイに設けられ、前記ディスクトレイが前記露出位置に移動したときに前記スライダを前記第１位置にスライドさせ、前記ディスクトレイが前記露出位置から前記格納位置に向けて移動したときに前記スライダを前記第１位置と前記第２位置との間のスライダ中間位置にスライドさせるスライダガイド部と；を備えることが好ましい。
【００１６】
さらに、前記ディスクホルダを保持するホルダ保持位置とこの保持を解除するホルダ保持解除位置との間で変位自在なホルダクランパと；前記ホルダクランパを、前記ホルダ保持位置に向けて付勢する付勢手段と；前記スライダに設けられ、前記スライダが前記第１位置から前記ピックアップベースを前記ベース中間位置まで変位させる第３位置までスライドした後に、前記ホルダクランパに当接して、前記ホルダクランパを前記ホルダ保持解除位置に変位させるクランパ変位部と；を備え、前記ホルダクランパによる保持が解除された前記ディスクホルダは、前記チャッキングコアと前記光ディスクとの間に位置して前記チャッキングコアによって保持されることが好ましい。なお、前記ホルダクランパの変位としては、回転や移動等が挙げられる。また、前記付勢手段としては、前記ホルダクランパに一体的に形成されたバネ部、前記ホルダクランパとは別部材のバネ部材等が挙げられる。
【００１７】
また、前記スライダを、前記スライダ中間位置と前記第２位置との間でスライドさせるスライド機構を備えることが好ましい。なお、前記スライド機構は、前記スライダをスライドさせるスライド部材、例えばモータ等を有することが好ましい。また、前記スライド機構は、前記ディスクトレイに連結し、前記ディスクトレイを移動させることが好ましい。
【００１８】
前記スライド機構で前記スライダを前記スライダ中間位置から前記第２位置に向けてスライドさせたときに、前記ディスクトレイを前記格納位置まで移動させるとともに、前記スライド機構で前記スライダを前記第２位置から前記スライダ中間位置に向けてスライドさせたときに、前記ディスクトレイを前記格納位置から前記露出位置に向けて移動させるトレイガイド部を備えることが好ましい。
【発明の効果】
【００１９】
本発明の光ディスク装置によれば、光ディスクを回転させるスピンドルモータ、光ピックアップが取り付けられ、光ディスクにデータの記録及び／または再生を行う再生位置とこの再生位置から退避した退避位置との間で変位自在なピックアップベースと；スピンドルモータに設けられ、光ディスクを保持するチャッキングコアと；光ディスクの着脱時に筐体外部に露出される露出位置と筐体内部に格納される格納位置との間で移動自在なディスクトレイと；を備え、ディスクトレイを格納位置に移動させた後に、ピックアップベースを再生位置に変位させる光ディスク装置において、チャッキングコアに設けられ、ピックアップベースが退避位置と再生位置との間のベース中間位置と、再生位置との間で変位するときに、光ディスクのディスク孔に挿入されて当該光ディスクを保持するとともに、光ディスクの径方向の位置決めを行うディスク位置決め保持部と；ディスクトレイのディスク装填面から突出して配され、ディスクトレイが露出位置と格納位置との間で移動するとき、及びピックアップベースが退避位置とベース中間位置との間で移動するときにディスク孔に挿入されて光ディスクを保持するディスクホルダと；を備え、ディスク位置決め保持部により光ディスクを保持しているときには、ディスクホルダによる光ディスクの保持が解除されるから、径の異なる光ディスクや非円形状の光ディスクを正確にチャッキングコアに保持させることができるとともに、光ディスク再生時には、光ディスクを他の部材（ディスクホルダ）を介さずにチャッキングコアにより保持することができ、さらには、筐体を縦向き、横向きのどちら向きに置いたときにも、光ディスクを脱落させることなく、正確にチャッキングコアに保持させることができる。
【００２０】
また、ディスクホルダは、光ディスクが載せられる搭載部と；ディスク孔に挿通される挿通部と；ディスク孔よりも径の大きい径で且つ弾性変形可能に形成され、ディスク孔を挿通されて光ディスクを保持する保持部と；ディスク位置決め保持部が挿通される挿通孔と；を備え、ピックアップベースがベース中間位置と再生位置との間で変位するときに、ディスク位置決め保持部は、挿通孔を挿通されて搭載部から突出してディスク孔に挿入されるから、簡単な構成で容易に、光ディスクをチャッキングコアに保持させることができる。
【００２１】
さらに、ディスクホルダに設けられ、ピックアップベースが退避位置からベース中間位置まで変位したときに、チャッキングコアに設けられた係合部に係合し、ピックアップベースが再生位置まで変位したときに、係合部との係合を解除する係合爪を備えたから、光ディスクがディスク位置決め保持部とディスクホルダとのいずれにも保持されていない状態がなく、筐体を縦向きに置いた場合にも、確実に光ディスクをチャッキングコアに保持させることができる。
【発明を実施するための最良の形態】
【００２２】
図１及び図２に本発明を用いた光ディスク装置２の外観を示す。光ディスク装置２は、光ディスクであるＣＤ（コンパクトディスク）３にアクセスして、ＣＤ３にデータの記録及び／または再生を行うものであり、パソコン等に組み込まれる。なお、光ディスク装置２は、ＤＶＤ等も再生可能である。
【００２３】
光ディスク装置２の本体ケース４の内部には、ディスクトレイ５、光ピックアップ６、ピックアップベース７、スピンドルモータ８、チャッキングコア９、ターンテーブル１０、回路基板等を含むプレーヤユニット１１が組み込まれている。本体ケース４は、上カバー４ａ及び下カバー４ｂから構成されている（図８参照）。なお、光ピックアップ６、ピックアップベース７、スピンドルモータ８、チャッキングコア９、ターンテーブル１０は、図１及び図２では図示を省略し、図７〜図９で図示している。また、図１は、ディスクトレイ５が、ＣＤ３再生時に本体ケース４内部に格納される格納位置に位置する状態を示し、図２は、ディスクトレイ５が、本体ケース４外部に露出される露出位置に位置する状態を示している。
【００２４】
本体ケース４の前面には、ディスクトレイ５開閉用の開閉スイッチ１４が設けられている。また、開閉スイッチ１４の周辺には、再生スイッチや停止スイッチ等の各種スイッチが設けられており、これら開閉スイッチ１４を含む複数のスイッチは、光ディスク装置２の主制御を行う制御部１５に接続されている。なお、開閉スイッチ１４を含むスイッチを、本体ケース４の前面に設けずに、光ディスク装置２が組み込まれるパソコンに設けるようにしてもよい。
【００２５】
ディスクトレイ５は、ＣＤ３再生時に本体ケース４内部に格納される格納位置（図１参照）と、本体ケース４外部に露出される露出位置（図２参照）との間で移動可能に設けられており、後述するトレイ移動機構４０により移動される。ディスクトレイ５を移動させるときには、開閉スイッチ１４を操作する。
【００２６】
図３に示すように、ディスクトレイ５は、ＣＤ３が装填されるものであり、ＣＤ３の外径に対応した窪みが形成されている。ディスクトレイ５の中心部には、格納位置に位置するときにスピンドルモータ８及びチャッキングコア９が挿通される挿通孔５ａが形成され、この挿通孔５ａに連続して、光ピックアップ６がＣＤ３にアクセスするためのアクセス開口５ｂが形成されている。
【００２７】
ディスクトレイ５の挿通孔５ａには、ＣＤ３を保持するためのディスクホルダ２０が挿通されている。ディスクトレイ５の下面には、ディスクホルダ２０を支持するための第１ホルダクランパ２１及び第２ホルダクランパ２２が、それぞれ回転軸２１ａ，２２ａを中心に回転自在に取り付けられている。詳しくは後述するように、第１ホルダクランパ２１及び第２ホルダクランパ２２は、ディスクトレイ５が露出位置と格納位置との間で移動するときにディスクホルダ２０を保持し、ＣＤ３を再生するときにはディスクホルダ２０の保持を解除する。これにより、ディスクホルダ２０は、ディスクトレイ５が露出位置と格納位置との間で移動するときにＣＤ３を保持し、ＣＤ３を再生するときにはＣＤ３の保持を解除する。また、ディスクホルダ２０は、その上面がディスクトレイ５のディスク装填面よりも突出するように、第１，第２ホルダクランパ２１，２２に保持されている（図８参照）。
【００２８】
第１ホルダクランパ２１は、弾性変形可能な樹脂により構成され、回転軸２１ａが形成されたアーム部２１ｂと、アーム部２１ｂの先端に形成されたクランプ部２１ｃと、バネ部（付勢手段）２１ｄと、を備える。アーム部２１ｂには、スライダ２５の第１スライダピン（クランパ変位部）２５ｃに当接する当接部２１ｅが形成されている。クランプ部２１ｃは、その先端部が断面略く字状に形成されており、ディスクホルダ２０の本体部２０ａの断面略く字状の左側端部を支持する。バネ部２１ｄは、モールドバネとして機能するものであり、ディスクトレイ５の下面に形成された第１バネ掛けリブ５ｅ（図７参照）に当接している。このバネ部２１ｄによる付勢により、第１ホルダクランパ２１は、ディスクホルダ２０を支持する方向（図７中Ｃ方向）に向けて付勢された状態となり、ホルダ保持位置（図７参照）に位置する。
【００２９】
第２ホルダクランパ２２は、弾性変形可能な樹脂により構成され、回転軸２２ａが形成されたアーム部２２ｂと、アーム部２２ｂの先端に形成されたクランプ部２２ｃと、バネ部（付勢手段）２２ｄと、を備える。アーム部２２ｂには、スライダ２５の第１スライダピン２５ｃに当接する当接部２２ｅが形成されている。クランプ部２２ｃは、その先端部が断面略く字状に形成されており、ディスクホルダ２０の本体部２０ａの断面略く字状の右側端部を支持する。バネ部２２ｄは、モールドバネとして機能するものであり、ディスクトレイ５の下面に形成された第２バネ掛けリブ５ｆ（図７参照）に当接している。このバネ部２２ｄによる付勢により、第２ホルダクランパ２２は、ディスクホルダ２０を支持する方向（図７中Ｄ方向）に向けてまで付勢された状態となり、ホルダ保持位置（図７参照）に位置する。
【００３０】
図４に示すように、ディスクホルダ２０は、リング状の本体部（搭載部）２０ａと、本体部２０ａに円弧状に立設されたホルダリブ（挿通部）２０ｂと、を備え、弾性変形可能な樹脂により構成されている。本体部２０ａの上面には、ＣＤ３再生時のＣＤ３の滑りを防止する滑り止めシート２３が取り付けられている。本体部２０ａの側面は、断面略く字状になるようにテーパが形成されている。なお、図４（Ａ）は斜視図であり、図４（Ｂ）は保持リブ２０ｃ及び係合リブ２０ｄの部分の側面断面図である。
【００３１】
ホルダリブ２０ｂは、１２０°ピッチで３箇所切欠かれており、この切りかかれた３箇所には、ＣＤ３を保持するための保持リブ（保持部）２０ｃと、チャッキングコア９と係合する係合リブ２０ｄと、がそれぞれ形成されている。本体部２０ａ、ホルダリブ２０ｂ及び保持リブ２０ｃには、チャッキングコア９の位置決めリブ９ｂ（図５参照）が挿通されるスリット（挿通孔）２０ｅが、一定ピッチで複数形成されている。なお、ホルダリブ２０ｂは、その外径がＣＤ３のディスク孔３ａの径よりも小さい径で形成されている。
【００３２】
保持リブ２０ｃは、断面略Ｔ字状に形成されており、上端部の外周側端は、ＣＤ３を保持したときに、ディスク孔３ａの径よりも外周側に突出するように形成されている。保持リブ２０ｃの上端部の内周側に突出した部分は、ユーザがディスクホルダ２０によるＣＤ３の保持を解除するときに操作する操作部となる。
【００３３】
係合リブ２０ｄは、断面略コ字状に形成され、ホルダリブ２０ｂよりも内側に突出して形成されている。係合リブ２０ｄの下側先端部には、内周方向に突出してチャッキングコア９と係合する係合爪２０ｆが形成されている。
【００３４】
図５に示すように、スピンドルモータ８に取り付けられるチャッキングコア９には、ＣＤ３をチャッキングするためのコア部９ａが形成されている。コア部９ａには、１２０°ピッチで放射状に突出した位置決めリブ（ディスク位置決め保持部）９ｂが形成されている。この位置決めリブ９ｂは、ＣＤ３の保持及び位置決めを行うものであり、ディスクホルダ２０のホルダリブ２０ｂよりも大きい径で形成されている。位置決めリブ９ｂは、スリット２０ｅを挿通されてディスク孔３ａに挿入される。また、チャッキングコア９の上面には、ＣＤ３再生時のディスクホルダ２０の滑りを防止する滑り止めシート２４が取り付けられている。
【００３５】
コア部９ａには、下側に向かうにつれて径が小さくなるテーパ状に形成され、係合リブ２０ｄと係合する係合部９ｃが全周に亘って形成されている。コア部９ａには、ターンテーブル１０の係合凸部１０ｄが挿入される係合孔９ｄが形成されている。また、チャッキングコア９内部には、磁石１６が１８０°ピッチで２個埋め込まれている。なお、磁石１６の個数は、２個に限定されることなく、適宜変更可能である。
【００３６】
図６に示すように、ＣＤ３再生時には、チャッキングコア９の位置決めリブ９ｂが、ディスクホルダ２０のスリット２０ｅを挿通され、ホルダリブ２０ｂよりも外周側に突出した状態となり、ディスク孔３ａに挿入される。すなわち、ＣＤ３再生時には、ＣＤ３の保持及び径方向の位置決めは、位置決めリブ９ｂによって行われる。
【００３７】
図７に示すように、本体ケース４の内部には、光ピックアップ６及びスピンドルモータ８が取り付けられたピックアップベース７と、スライダ２５と、が設けられている。スピンドルモータ８には、チャッキングコア９が取り付けられている。
【００３８】
光ピックアップ６は、発光素子から照射されたレーザ光をＣＤ３の記録面に集光する対物レンズ２６が組み込まれており、ピックアップベース７に取り付けられた保持シャフト２７に移動自在に保持されている。光ピックアップ６は、公知のユニット移動機構により、ＣＤ３の径方向である保持シャフト２７の軸方向（図７におけるＡ方向）に移動される。
【００３９】
図７、図８及び図９に示すように、ディスクトレイ５の下面には、スライダ２５の第１スライダピン２５ｃを案内する第１ガイドリブ（スライダガイド部）５ｃと、第２スライダピン２５ｄを案内する第２ガイドリブ（スライダガイド部）５ｄと、第１ホルダクランパ２１のバネ部２１ｄ用の第１バネ掛けリブ５ｅと、第２ホルダクランパ２２のバネ部２２ｄ用の第２バネ掛けリブ５ｆと、が立設されている。各ガイドリブ５ｃ，５ｄは、それぞれ２本ずつ立設されており、各ピン２５ｃ，２５ｄは２本のリブの間に入り込むようにされている。これにより、ディスクトレイ５が前後方向（図７における上下方向）に移動すると、各ピン２５ｃ，２５ｄは、ガイドリブ５ｃ，５ｄによって左右方向に案内され、スライダ２５が左右方向にスライドする。なお、図７は正面図、図８は下側面断面図、図９は右側面断面図である。
【００４０】
ピックアップベース７には、ダンパー３１が４個、ビス３２により取り付けられている。後面側（図７における上側）の２個のビス３２は、ダンパー３１を介して、本体ケース４内部の取付部にビス締めされており、ピックアップベース７は、この２個のビス３２を中心にして、図９中Ｂ方向に回転自在に取り付けられている。
【００４１】
前面側（図７における下側）の２個のビス３２は、ダンパー３１を介して、回転ベース３３に取り付けられている。回転ベース３３の前面には、スライダ２５の第１ガイド孔２５ａに挿入される第１ベースピン３３ａと、第２ガイド孔２５ｂに挿入される第２ベースピン３３ｂと、が形成されている。回転ベース３３の左右の側面には回転軸３３ｃが形成されており、回転軸３３ｃは本体ケース４内部に回転自在に取り付けられている。これにより、回転ベース３３は、回転軸３３ｃを中心にして、図９中Ｂ方向に回転自在となる。なお、回転軸３３ｃは、図７及び図９における上下方向の位置が規制されておらず、ピックアップベース７が、図９における上側のビス３２を中心に回転するときには、回転軸３３ｃが図９における上下方向に移動する。これにより、回転ベース３３が回転すると、ピックアップベース７は、後面側（図７における上側）の２個のビス３２を中心にして、図９中Ｂ方向に回転する。本実施形態では、ピックアップベース７は、スライダ２５のスライドに応じて、退避位置（図９参照）と再生位置（図１８参照）との間で回転する。
【００４２】
上カバー４ａには、２段の段付き状のカバー凹部４ｃが形成されており、カバー凹部４ｃの底面には、ターンテーブル１０の本体部１０ａを挿入するための、挿入孔４ｄが形成されている。ターンテーブル１０は、ＣＤ３再生時にＣＤ３に当接した状態で回転するものであり、本体部１０ａと鍔部１０ｂとを備えて構成されている。本体部１０ａは挿入孔４ｄよりも小さい径で形成され、鍔部１０ｂは挿入孔４ｄよりも大きい径で形成されている。本体部１０ａの底面には、チャッキングコア９の上部及びディスクホルダ２０の上部が挿入される挿入凹部１０ｃが形成されており、挿入凹部１０ｃには、係合孔９ｄに挿入される係合凸部１０ｄが立設されている。本体部１０ａには、金属板（図示せず）が取り付けられており、この金属板は、チャッキングコア９内部に埋め込まれた磁石１６の磁気により保持され、これにより、ターンテーブル１０がチャッキングコア９に保持される。なお、図１及び図２においては、カバー凹部４ｃの図示を省略している。
【００４３】
図８及び図１０に示すように、スライダ２５には、回転ベース３３の第１ベースピン３３ａが挿入される第１ガイド孔２５ａと、第２ベースピン３３ｂが挿入される第２ガイド孔２５ｂと、ディスクトレイ５の第１ガイドリブ５ｃにより案内される第１スライダピン（クランパ変位部）２５ｃと、第２ガイドリブ５ｄにより案内される第２スライダピン２５ｄと、が形成されている。各スライダピン２５ｃ，２５ｄは、スライダ２５の上面に立設されている。スライダ２５の前面には、スライダギア２５ｅが形成されている。
【００４４】
ディスクトレイ５が露出位置（図７参照）に位置するときには、第２スライダピン２５ｄが第２ガイドリブ５ｄにより案内され、スライダ２５は、ピックアップベース７を退避位置に位置させる第１位置としてのディスク取出位置（図８参照）に位置する。そして、ディスクトレイ５が、露出位置（図２参照）から格納位置（図１参照）に向けて移動すると、第１スライダピン２５ｃが第１ガイドリブ５ｃにより案内され、第２スライダピン２５ｄが第２ガイドリブ５ｄにより案内され、スライダ２５は、ディスク取出位置（図８参照）からスライダ中間位置としてのギア噛合位置（図１２参照）までスライドする。
【００４５】
図７及び図８に示すように、スライダギア２５ｅは、本体ケース４内部に回転自在に設けられた半円状の半円ギア３５に噛合している。半円ギア３５は、スライダ２５がディスク取出位置（図８参照）からギア噛合位置（図１２参照）までの間に位置するときには、スライダギア２５ｅのみと噛合している。スライダ２５がディスク取出位置からギア噛合位置までスライドして、半円ギア３５が回転すると、半円ギア３５は、ディスクトレイ５を移動させるためのトレイ移動機構４０のトレイ用ギア４１の第３段ギア４１ｃに噛合する。半円ギア３５は、スライダ２５がギア噛合位置とディスク保持位置（図１８参照）との間でスライドするときには、第３段ギア４１ｃに噛合するようにされている。
【００４６】
図１１及び図１２に示すように、ディスクトレイ５が、露出位置から格納位置に向けて移動すると、第１スライダピン２５ｃが第１ガイドリブ５ｃにより案内され、第２スライダピン２５ｄが第２ガイドリブ５ｄにより案内され、スライダ２５は、ディスク取出位置からギア噛合位置までスライドする。なお、図１１は正面図、図１２は下側面断面図である。
【００４７】
本体ケース４内部には、トレイ移動機構４０が設けられている。トレイ移動機構４０は、トレイ用ギア４１、中継プーリー４２、ベルト４３、モータプーリー４４、モータ４５を備え、トレイ用ギア４１、中継プーリー４２は、図示しない支軸に回転自在に取り付けられている。トレイ用ギア４１は、３段ギアから構成されており、図１２における最上段から順に第１段ギア４１ａ、第２段ギア４１ｂ、第３段ギア４１ｃとなっている。第１段ギア４１ａは、ディスクトレイ５に形成されたトレイギア５ｇに噛合している。
【００４８】
中継プーリー４２には、中継ギア４２ａが形成されており、中継ギア４２ａは、第２段ギア４１ｂに噛合している。中継プーリー４２は、半円ギア３５と同心円上に設けられている。モータプーリー４４は、モータ４５のモータシャフトに取り付けられており、中継プーリー４２とモータプーリー４４とには、ベルト４３が巻き掛けられている。モータ４５は、制御部１５に接続されており、制御部１５により駆動が制御される。制御部１５は、開閉スイッチ１４が操作されたときに、モータ４５を駆動する。
【００４９】
モータ４５が駆動してモータプーリー４４が回転すると、ベルト４３を介して中継プーリー４２が回転し、中継ギア４２ａに噛合しているトレイ用ギア４１が回転する。そして、トレイ用ギア４１の回転により、ディスクトレイ５が前後方向（図１１における上下方向）に移動する。本実施形態では、モータプーリー４４が時計方向に回転するようにモータ４５を駆動すると、ディスクトレイ５が露出位置から格納位置に向けて移動し、モータプーリー４４が反時計方向に回転するようにモータ４５を駆動すると、ディスクトレイ５が格納位置から露出位置に向けて移動する。
【００５０】
半円ギア３５が第３段ギア４１ｃに噛合している場合には、モータ４５が駆動すると、モータプーリー４４、ベルト４３、中継プーリー４２、トレイ用ギア４１を介して半円ギア３５が回転し、半円ギア３５に噛合しているスライダ２５がスライドする。すなわち、スライダ２５は、ギア噛合位置（図１２参照）とディスク保持位置（図１８参照）との間でスライドするときは、モータ４５の駆動によりスライドし、ギア噛合位置とディスク取出位置（図８参照）との間でスライドするときは、ディスクトレイ５の各ガイドリブ５ｃ，５ｄによりスライドする。
【００５１】
本体ケース４内部には、スライダ２５の位置を検出するスライダスイッチ４７が設けられている。このスライダスイッチ４７は、制御部１５に接続されており、スライダ２５がディスク取出位置に位置することを検出したときに制御部１５に取出位置信号を出力し、スライダ２５がディスク保持位置に位置することを検出したときに制御部１５に保持位置信号を出力する。制御部１５は、取出位置信号及び保持位置信号が入力されているときには、モータ４５の駆動を停止するようにされている。
【００５２】
制御部１５は、取出位置信号が入力されているときに開閉スイッチ１４が操作されると、取出位置信号の入力が停止され（スライダ２５がディスク取出位置からディスク保持位置に向けてスライド）、モータプーリー４４が時計方向に回転するようにモータ４５を駆動し、保持位置信号が入力されているときに開閉スイッチ１４が操作されると、保持位置信号の入力が停止され（スライダ２５がディスク保持位置からディスク取出位置に向けてスライド）、モータプーリー４４が反時計方向に回転するようにモータ４５を駆動する。
【００５３】
モータプーリー４４が時計方向に回転するようにモータ４５を駆動し、ディスクトレイ５を露出位置から格納位置に向けて移動させると、ディスクトレイ５が格納位置まで移動する直前に、スライダ２５は、ディスクトレイ５の第１，第２ガイドリブ５ｃ，５ｄにより案内されて、ディスク取出位置からギア噛合位置までスライドする。スライダ２５が、ギア噛合位置までスライドすると、トレイギア５ｇは第１段ギア４１ａとの噛合から外れる。そして、半円ギア３５が第３段ギア４１ｃに噛合して、スライダ２５が右方にスライドされると、第１スライダピン２５ｃが第１ガイドリブ５ｃに当接して、このスライダ２５が右方にスライドする力により、ディスクトレイ５は後方（図１１における上方）に向けて格納位置まで移動する。本実施形態では、第１スライダピン２５ｃは、スライダ２５をディスク取出位置からギア噛合位置までスライドさせたときに、ディスクトレイ５を格納位置まで移動させるトレイガイド部としても機能する。
【００５４】
また、ディスクトレイ５を格納位置から露出位置に向けて移動させるときには、モータプーリー４４が反時計方向に回転するようにモータ４５を駆動し、スライダ２５を左方にスライドさせる。スライダ２５が左方にむけてギア噛合位置までスライドすると、第１スライダピン２５ｃが第１ガイドリブ５ｃに当接して、このスライダ２５が左方にスライドする力により、ディスクトレイ５は前方（図１１における下方）に向けて移動し、トレイギア５ｇが第１段ギア４１ａに噛合するとともに、半円ギア３５は第３段ギア４１ｃとの噛合から外れる。そして、モータ４５の駆動により、ディスクトレイ５は、露出位置まで移動する。
【００５５】
図１３及び図１４に示すように、モータ４５の駆動により、スライダ２５がコア係合位置までスライドすると、回転ベース３３の第１，第２ベースピン３３ａ，３３ｂが第１，第２ガイド孔２５ａ，２５ｂにより案内され、回転ベース３３は回転軸３３ｃを中心にして、図１４中Ｂ方向に回転される。なお、図１３は下側面断面図、図１４は右側面断面図であり、図１３（Ｂ）は図１３（Ａ）の二点鎖線で囲んだ範囲の拡大図、図１４（Ｂ）は図１４（Ａ）の二点鎖線で囲んだ範囲の拡大図である。また、スライダ２５がコア係合位置までスライドしたときには、ディスクトレイ５は格納位置（図１及び図１５参照）まで移動される。
【００５６】
回転ベース３３が回転されると、それに応じて、ピックアップベース７が図１４中Ｂ方向にリブ挿入位置（ベース中間位置）まで回転され、チャッキングコア９の位置決めリブ９ｂは、ディスクホルダ２０のスリット２０ｅを挿通されるとともに、ＣＤ３のディスク孔３ａに挿入される。位置決めリブ９ｂがスリット２０ｅを挿通されるとき、係合部９ｃが係合爪２０ｆに当接して係合リブ２０ｄが外側に広がり、位置決めリブ９ｂがさらに移動されると係合リブ２０ｄが元の形状に戻る。これにより、係合部９ｃと係合爪２０ｆとが係合された状態となり、この状態で位置決めリブ９ｂはディスク孔３ａに挿入される（チャッキングコア９により保持される）。
【００５７】
図１５及び図１６に示すように、モータ４５の駆動により、スライダ２５がクランプ解除位置までスライドすると、スライダ２５の第１スライダピン２５ｃが、第１ホルダクランパ２１の当接部２１ｅと第２ホルダクランパ２２の当接部２２ｅとの間に入り込む。これにより、第１ホルダクランパ２１が図１５中Ｄ方向に、第２ホルダクランパ２２が図１５中Ｃ方向に、それぞれホルダ保持解除位置まで回転され、第１，第２ホルダクランパ２１，２２によるディスクホルダ２０の保持が解除される。このとき、ディスクホルダ２０は、チャッキングコア９により保持されたＣＤ３とチャッキングコア９との間に挟持された状態となる。これにより、チャッキングコア９（ピックアップベース７）の移動（回転）に応じて、ディスクホルダ２０も移動することとなる。なお、図１５は正面図、図１６は下側面断面図であり、図１６（Ｂ）は図１６（Ａ）の二点鎖線で囲んだ範囲の拡大図である。
【００５８】
図１７及び図１８に示すように、モータ４５の駆動により、スライダ２５がピックアップベース７を再生位置に位置させる第２位置としてのディスク保持位置までスライドすると、回転ベース３３の第１，第２ベースピン３３ａ，３３ｂが第１，第２ガイド孔２５ａ，２５ｂにより案内され、回転ベース３３は回転軸３３ｃを中心にして回転される。なお、図１７は正面図、図１８は下側面断面図であり、図１８（Ｂ）は図１８（Ａ）の二点鎖線で囲んだ範囲の拡大図である。
【００５９】
回転ベース３３が回転されると、それに応じて、ピックアップベース７が再生位置まで回転され、チャッキングコア９の上部及びディスクホルダ２０の上部が、ターンテーブル１０の挿入凹部１０ｃに挿入されるとともに、ターンテーブル１０の係合凸部１０ｄがチャッキングコア９の係合孔９ｄに挿入される。この状態では、金属板が取り付けられたターンテーブル１０は、チャッキングコア９の磁石１６の磁気により保持されるとともに、ＣＤ３の上面にターンテーブル１０の下面が当接する。これにより、ＣＤ３の上下方向の位置決めが行われる。そして、ＣＤ３再生時に、スピンドルモータ８が回転すると、ＣＤ３、チャッキングコア９、ターンテーブル１０、ディスクホルダ２０が共に回転する。
【００６０】
上記のように構成された光ディスク装置２の作用について説明する。ＣＤ３を再生させるには、先ず、ＣＤ３をディスクトレイ５に装填する。このとき、ＣＤ３を下方に向けて押さえ付けるようにすると、ディスクホルダ２０の保持リブ２０ｃが内側に変形し、保持リブ２０ｃがディスク孔３ａを挿通され、挿通された後、保持リブ２０ｃが元の形状に戻る。これにより、ＣＤ３は、保持リブ２０ｃにより保持された状態となる。なお、ディスクホルダ２０からＣＤ３を取り外すときには、指等で保持リブ２０ｃが内側に変形させた後に行う。
【００６１】
次に、開閉スイッチ１４を操作してディスクトレイ５を露出位置（図２及び図７参照）から格納位置（図１及び図１５参照）に向けて移動させると、スライダ２５の第１スライダピン２５ｃが第１ガイドリブ５ｃにより案内され、第２スライダピン２５ｄが第２ガイドリブ５ｄにより案内され、スライダ２５は、ディスク取出位置（図８参照）からギア噛合位置（図１２参照）までスライドする。スライダ２５がギア噛合位置までスライドすると、半円ギア３５がトレイ移動機構４０のトレイ用ギア４１の第３段ギア４１ｃに噛合する。このとき、制御部１５は、モータプーリー４４が時計方向に回転するようにモータ４５を駆動しており、モータ４５の駆動により、モータプーリー４４、ベルト４３、中継プーリー４２、トレイ用ギア４１を介して半円ギア３５が時計方向に回転し、半円ギア３５に噛合しているスライダ２５が右方にスライドする。
【００６２】
モータ４５の駆動により、スライダ２５がコア係合位置（図１３参照）までスライドすると、ピックアップベース７が回転され、チャッキングコア９の位置決めリブ９ｂは、ディスクホルダ２０のスリット２０ｅを挿通されるとともに、ＣＤ３のディスク孔３ａに挿入され、ＣＤ３は位置決めリブ９ｂにより径方向が位置決めされる。位置決めリブ９ｂがスリット２０ｅを挿通されるとき、係合部９ｃが係合爪２０ｆに当接して係合リブ２０ｄが外側に広がり、位置決めリブ９ｂがさらに移動されると係合リブ２０ｄが元の形状に戻る。これにより、係合部９ｃと係合爪２０ｆとが係合された状態となり、この状態で位置決めリブ９ｂはディスク孔３ａに挿入される（チャッキングコア９により保持される）。また、スライダ２５がコア係合位置までスライドしたときには、ディスクトレイ５は格納位置（図１及び図１５参照）まで移動される。
【００６３】
モータ４５の駆動により、スライダ２５がクランプ解除位置（図１６参照）までスライドすると、スライダ２５の第１スライダピン２５ｃにより、第１，第２ホルダクランパ２１，２２がホルダ保持解除位置まで回転され、第１，第２ホルダクランパ２１，２２によるディスクホルダ２０の保持が解除される。
【００６４】
モータ４５の駆動により、スライダ２５がディスク保持位置（図１８参照）までスライドすると、ピックアップベース７が回転され、ターンテーブル１０がチャッキングコア９の磁石１６の磁気により保持されるとともに、ＣＤ３の上面にターンテーブル１０の下面が当接する。これにより、ＣＤ３の上下方向の位置決めが行われる。そして、ディスク再生時に、スピンドルモータ８が回転すると、ＣＤ３、ターンテーブル１０、ディスクホルダ２０が共に回転する。
【００６５】
このように、ディスクトレイ５が露出位置と格納位置との間で移動するとき、及びピックアップベース７が退避位置とリブ挿入位置との間で回転するときには、ＣＤ３をディスクホルダ２０で保持することができ、さらには、ピックアップベース７がリブ挿入位置と再生位置との間で回転するとき、及びＣＤ３再生時には、チャッキングコア９の位置決めリブ９ｂによりＣＤ３の径方向の位置決めを行うから、本体ケース４を縦向き、横向きのどちら向きに置いたときにも、ＣＤ３を脱落させることなく、正確にチャッキングコア９に保持させることができるとともに、ＣＤ３再生時には、ＣＤ３を他の部材（ディスクホルダ２０）を介さずにチャッキングコア９により保持することができる。さらに、位置決めリブ９ｂ及びディスクホルダ２０は、いずれもＣＤ３のディスク孔３ａを保持するものであるため、径の異なる光ディスクや非円形状の光ディスクの場合にも正確にチャッキングコア９に保持及び位置決めさせることができる。
【００６６】
また、スライダ２５がギア噛合位置までスライドすると、半円ギア３５がトレイ用ギア４１の第３段ギア４１ｃに噛合し、スライダ２５はギア噛合位置とディスク保持位置との間でスライドするときは、モータ４５の駆動によりスライドするから、ピックアップベース７を回転させるために、スライダ２５に掛かる負荷の大きいギア噛合位置とディスク保持位置との間を、モータ４５の駆動により行うことができる。
【００６７】
さらに、チャッキングコア９の係合部９ｃとディスクホルダ２０の係合爪２０ｆとが係合された状態で、位置決めリブ９ｂがディスク孔３ａに挿入されるから、ＣＤ３が位置決めリブ９ｂとディスクホルダ２０とのいずれにも保持されていない状態がなく、本体ケース４を縦向きに置いた場合にも、確実にＣＤ３をチャッキングコア９に保持させることができる。
【００６８】
また、スライダ２５の第１スライダピン２５ｃにより、第１，第２ホルダクランパ２１，２２をホルダ保持位置からホルダ保持解除位置まで回転するようにしたから、ＣＤ３再生時に、ピックアップベース７が第１，第２ホルダクランパ２１，２２に当接することがないため、ピックアップベースをホルダクランパに当接させて、ホルダクランパによるディスクホルダの保持を解除するタイプに比べて、ピックアップベース７の回転が阻害されることや、ダンパー３１によるピックアップベース７の振動吸収性能が低下することを防止することができる。
【００６９】
なお、上記実施形態では、チャッキングコア９の位置決めリブ９ｂとディスクホルダ２０の保持リブ２０ｃとをそれぞれ３個形成したが、これらの個数は３個に限定されることなく、適宜変更可能である。
【００７０】
また、上記実施形態では、トレイ移動機構４０を、トレイ用ギア４１、中継プーリー４２、ベルト４３、モータプーリー４４、モータ４５を備えて構成したが、ギアやプーリー等の個数は適宜変更可能である。
【図面の簡単な説明】
【００７１】
【図１】本発明を実施した光ディスク装置の外観斜視図である。
【図２】ディスクトレイが露出した状態の光ディスク装置の外観斜視図である。
【図３】ディスクトレイとディスクホルダと第１ホルダクランパと第２ホルダクランパとを示す斜視図である。
【図４】ディスクホルダを示す斜視図及び下側面断面図である。
【図５】チャッキングコアを示す斜視図及び下側面断面図である。
【図６】スリットに位置決めリブが挿通された状態のチャッキングコアとディスクホルダとを示す斜視図及び下側面断面図である。
【図７】ディスクトレイが露出位置に位置するときの光ディスク装置を示す正面図である。
【図８】ディスクトレイが露出位置に位置するときの光ディスク装置を示す下側面断面図である。
【図９】ディスクトレイが露出位置に位置するときの光ディスク装置を示す右側面断面図である。
【図１０】スライダと回転ベースとを示す斜視図である。
【図１１】ディスクトレイが格納位置に位置し、スライダがギア噛合位置に位置するときの光ディスク装置を示す正面図である。
【図１２】ディスクトレイが格納位置に位置し、スライダがギア噛合位置に位置するときの光ディスク装置を示す下側面断面図である。
【図１３】ディスクトレイが格納位置に位置し、スライダがコア係合位置に位置するときの光ディスク装置を示す下側面断面図である。
【図１４】ディスクトレイが格納位置に位置し、スライダがコア係合位置に位置するときの光ディスク装置を示す右側面断面図である。
【図１５】ディスクトレイが格納位置に位置し、スライダがクランプ解除位置に位置するときの光ディスク装置を示す正面図である。
【図１６】ディスクトレイが格納位置に位置し、スライダがクランプ解除位置に位置するときの光ディスク装置を示す下側面断面図である。
【図１７】ディスクトレイが格納位置に位置し、スライダがディスク保持位置に位置するときの光ディスク装置を示す正面図である。
【図１８】ディスクトレイが格納位置に位置し、スライダがディスク保持位置に位置するときの光ディスク装置を示す下側面断面図である。
【符号の説明】
【００７２】
２  光ディスク装置
３  ＣＤ（光ディスク）
４  本体ケース（筐体）
５  ディスクトレイ
５ｃ  第１ガイドリブ（スライダガイド部）
５ｄ  第２ガイドリブ（スライダガイド部）
７  ピックアップベース
８  スピンドルモータ
９  チャッキングコア
９ｂ  位置決めリブ（ディスク位置決め保持部）
９ｃ  係合部
２０  ディスクホルダ
２０ａ  本体部（搭載部）
２０ｂ  ホルダリブ（挿通部）
２０ｃ  保持リブ（保持部）
２０ｅ  スリット（挿通孔）
２０ｆ  係合爪
２１  第１ホルダクランパ
２１ｄ，２２ｄ  バネ部（付勢手段）
２２  第２ホルダクランパ
２５  スライダ
２５ｃ  第１スライダピン（クランパ変位部）
４０  トレイ移動機構（スライド機構）
【図１】
0004735839.tif 000002
【図２】
0004735839.tif 000003
【図３】
0004735839.tif 000004
【図４】
0004735839.tif 000005
【図５】
0004735839.tif 000006
【図６】
0004735839.tif 000007
【図７】
0004735839.tif 000008
【図８】
0004735839.tif 000009
【図９】
0004735839.tif 000010
【図１０】
0004735839.tif 000011
【図１１】
0004735839.tif 000012
【図１２】
0004735839.tif 000013
【図１３】
0004735839.tif 000014
【図１４】
0004735839.tif 000015
【図１５】
0004735839.tif 000016
【図１６】
0004735839.tif 000017
【図１７】
0004735839.tif 000018
【図１８】
0004735839.tif 000019